(57)【要約】【課題】発熱した熱を効率よく放熱することができ、全体の小型化を図ることができるプロジェクタ。【解決手段】電源装置６および前記ランプ駆動装置７は、光源装置４１を挟み込むように配設されている。排気ファン５は、光源装置４１に対して、光源装置４１の光源ランプ４１１から射出される光束の射出方向（＋Ｘ軸方向）とは、逆方向（−Ｘ軸方向）側に配設される。また、冷却装置８は、画像投射装置Ｇに対して、投射光学装置３の投射方向（＋Ｚ軸方向）とは反対側の位置であって、ランプ駆動装置７の長手方向の延長上に存するように配設されている。【選択図】図２
2008268333.tif 000002
【特許請求の範囲】
【請求項１】
光源装置と、前記光源装置から射出された光束を画像情報に応じて変調して光学像を形成する光変調装置と、前記光変調装置にて形成された光学像を拡大投射する投射光学装置と、これら前記光源装置、前記光変調装置、および前記投射光学装置を収納する外装筐体とを備えたプロジェクタであって、
前記外装筐体の内部に配される各種の装置に電力を供給する電源装置と、前記光源装置を駆動させるランプ駆動装置とを備え、
前記電源装置および前記ランプ駆動装置は、前記光源装置を挟み込むように配設されていることを特徴とするプロジェクタ。
【請求項２】
請求項１に記載のプロジェクタにおいて、
前記外装筐体の内部に滞留する空気を外部に排気する排気ファンと、前記ランプ駆動装置内の空気を前記排気ファンに導く排気ダクトとを備え、
前記排気ファンおよび前記排気ダクトは、前記光源装置に対して、前記光源装置からの光束の射出方向とは逆方向側に配設されていることを特徴とするプロジェクタ。
【請求項３】
請求項１または請求項２に記載のプロジェクタにおいて、
前記電源装置および前記ランプ駆動装置は、互いに略直方体形状を有して構成されるとともに、互いの長手方向同士を平行とするように配設されていることを特徴とするプロジェクタ。
【請求項４】
請求項１から請求項３のいずれかに記載のプロジェクタにおいて、
前記外装筐体に設けられた吸気口を介して外気を内部に導入する吸気ファンユニットを備え、
前記吸気ファンユニットは、前記投射光学装置に対して、前記投射光学装置の投射方向とは反対側の位置に配設され、前記電源装置もしくは前記ランプ駆動装置のいずれかの長手方向の延長上に存することを特徴とするプロジェクタ。
【請求項５】
請求項４に記載のプロジェクタにおいて、
前記投射光学装置は、投射される光学像の位置を調整する投射位置調整装置を備えることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して光学像を形成する光変調装置と、光変調装置にて形成された光学像を拡大投射する投射光学装置とを備えたプロジェクタが知られている。
この種のプロジェクタは、内部に配される、光変調装置、冷却ファン、光源装置等に電力を供給するため、電源装置を備えて構成される。また、この種のプロジェクタは、光源を駆動させるためのランプ駆動装置を備えて構成される。このランプ駆動装置は、電源装置と一体化するように配設して、プロジェクタに内蔵される（例えば、特許文献１参照）。
【０００３】
一方、この種のプロジェクタを使用している場合にあっては、これら電源装置およびランプ駆動装置は、発熱してしまう。そこで、この種のプロジェクタでは、これら電源装置およびランプ駆動装置に冷却風を送ることにより冷却することを必要としていた。また、この種のプロジェクタでは、光漏れを防止する為、電源装置の排気用開口部を光源装置側に配置していた。
【０００４】
【特許文献１】特開２００６−３４３５６５号公報
【発明の開示】
【発明が解決しようとする課題】
【０００５】
ところが、特許文献１に記載のプロジェクタでは、電源装置およびランプ駆動装置は、上述したように一体化して配設され、排気口が、光源装置側に配置されているので、発熱した熱が滞留し易いものになってしまっていた。また、電源装置冷却用のファンも大型のものが必要となり電源装置の近傍に配置することができずプロジェクタのサイズが大きくなってしまっていた。
【０００６】
本発明は、このような事情に鑑みなされたものであって、その目的は、発熱した熱を効率よく放熱することができるとともに小型化が図れるプロジェクタを提供することにある。
【課題を解決するための手段】
【０００７】
上述した課題を解決するための手段として、本発明に係るプロジェクタは、光源装置と、前記光源装置から射出された光束を画像情報に応じて変調して光学像を形成する光変調装置と、前記光変調装置にて形成された光学像を拡大投射する投射光学装置と、これら前記光源装置、前記光変調装置、および前記投射光学装置を収納する外装筐体とを備えたプロジェクタであって、前記外装筐体の内部に配される各種の装置に電力を供給する電源装置と、前記光源装置を駆動させるランプ駆動装置とを備え、前記電源装置および前記ランプ駆動装置は、前記光源装置を挟み込むように配設されていることを特徴とする。
【０００８】
このプロジェクタによれば、電源装置およびランプ駆動装置は、光源装置を挟み込むように配設されているので、電源装置およびランプ駆動装置によって発熱した熱は、互いに熱干渉することなく、放熱され易いものとなる。したがって、発熱した熱を、滞留することなく、効率よく放熱させることができる。
【０００９】
また、このプロジェクタによれば、電源装置およびランプ駆動装置は、光源装置を挟み込むように配設されているので、プロジェクタ内部のスペースを有効活用することができ、プロジェクタの小型化を図ることができる。
【００１０】
また、本発明に係るプロジェクタは、上述のプロジェクタにおいて、前記外装筐体の内部に滞留する空気を外部に排気する排気ファンと、前記ランプ駆動装置内の空気を前記排気ファンに導く排気ダクトとを備え、前記排気ファンおよび前記排気ダクトは、前記光源装置に対して、前記光源装置からの光束の射出方向とは逆方向側に配設されていることが好ましい。
【００１１】
このプロジェクタによれば、排気ファンおよび排気ダクトは、光源装置に対して、光源装置からの光束の射出方向とは逆方向側に配設されているので、光源装置、ランプ駆動装置、電源装置内の空気を均等に排気ファンに好ましく導くことができる。したがって、発熱した熱を、効率よく放熱させることができる。
【００１２】
さらに、排気ダクトは、光が外部に漏れてしまうことを遮ることができる。これによって、従来、光が外部に漏れてしまうことを遮るために設けられていた遮光板等を省略することができ、プロジェクタ全体の小型化を図ることができる。
また、排気ファンも、光源装置に対して、光源装置からの光束の射出方向とは逆方向側に配設されているので、配設される排気ダクトの長さも短く設定することができて、プロジェクタ全体の小型化を図ることができる。
【００１３】
また、本発明に係るプロジェクタは、上述のプロジェクタにおいて、前記電源装置および前記ランプ駆動装置は、互いに略直方体形状を有して構成されるとともに、互いの長手方向同士を平行とするように配設されていることが好ましい。
このプロジェクタによれば、電源装置およびランプ駆動装置は、互いに略直方体形状を有して構成されるとともに、互いの長手方向同士を平行とするように配設されているので、プロジェクタ内部の冷却空気の流路を整えることができて、発熱した熱を、効率よく放熱させることができる。
【００１４】
また、本発明に係るプロジェクタは、上述のプロジェクタにおいて、前記外装筐体に設けられた吸気口を介して外気を内部に導入する吸気ファンユニットを備え、前記吸気ファンユニットは、前記投射光学装置に対して、前記投射光学装置の投射方向とは反対側の位置に配設され、前記電源装置もしくは前記ランプ駆動装置のいずれかの長手方向の延長上に存することが好ましい。
【００１５】
このプロジェクタによれば、吸気ファンユニットは、投射光学装置に対して投射光学装置の投射方向とは反対側の位置に配設され、電源装置もしくはランプ駆動装置のいずれかの、長手方向の延長上に存するので、この吸気口を介して吸気ファンユニットから導入された外気を、電源装置もしくはランプ駆動装置に導き易いものにする上、配設されるダクトも簡易な形状となり、より効率よく風を流すことができる。
【００１６】
また、本発明に係るプロジェクタは、上述のプロジェクタにおいて、前記投射光学装置は、投射される光学像の位置を調整する投射位置調整装置を備えることが好ましい。
投射位置調整装置を備えるプロジェクタにおいては、投射光学装置の周囲に投射位置調整装置が配置されているので投射光学装置の周囲に冷却装置を配置するとプロジェクタが大型化してしまう。上記構成とすることにより、投射位置調整装置を備えるプロジェクタであっても、従来、デッドスペースになりがちであった、光変調装置に対して投射光学装置の投射方向とは反対側の位置に、吸気ファンユニットを配設するので、プロジェクタの小型化を図ることができる。
【発明を実施するための最良の形態】
【００１７】
以下、本発明に係るプロジェクタの実施の形態について、図面を参照しながら説明する。図１は、プロジェクタ１の外観を模式的に示す外観模式図である。図２は、プロジェクタ１の内部を示す内部斜視図である。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００１８】
プロジェクタ１は、光源装置から射出された光束を、画像情報に応じて光変調装置にて変調して光学像（画像光）を形成し、形成された光学像を投射光学装置にてスクリーンに拡大投射するものである。
プロジェクタ１は、図１および図２に示すように、外装筐体２、画像投射装置Ｇ、排気ファン５、電源装置６、ランプ駆動装置（バラスト）７、吸気ファンユニットとしての冷却装置８、および図示しない制御基板等を備えて大略構成される。また、画像投射装置Ｇは、投射光学装置３、光学ユニット４を備えて構成される。なお、図示しない制御基板は、光学ユニット４、排気ファン５、電源装置６、ランプ駆動装置（バラスト）７、および冷却装置８と電気的に接続され、これらを制御する。
【００１９】
外装筐体２は、図１および図２に示すように、略直方体形状を有する箱状の筐体で構成される。外装筐体２は、プロジェクタ１における天面（＋Ｙ軸方向側の面）部分、前面（＋Ｚ軸方向側の面）部分、側面（Ｘ軸方向に交差する各面）部分、および背面（−Ｚ軸方向側の面）部分を形成するアッパーケース２１と、プロジェクタ１における底面（−Ｙ軸方向側の面）部分を形成するロアーケース２２とを備える。
【００２０】
図１に示すように、外装筐体２の前面部分には、投射光学装置３からスクリーンに画像光を投射可能にした前面開口部２１１が設けられている。また、外装筐体２の天面部分には、投射位置調整装置３１の操作ダイアル３２を露出する第１操作用開口部２１２Ａが設けられているとともに、画像調整部３３を露出する第２操作用開口部２１２Ｂが設けられている。
【００２１】
さらに、外装筐体２の側面部分の−Ｚ軸方向側には、プロジェクタ１内部に外気を吸入するために開口した吸気口２１３が設けられている。なお、この吸気口２１３には、図２に示すように、吸気口２１３を介してプロジェクタ１（外装筐体２）内部に異物が侵入することを防止する除塵フィルタ２１４が、取り付けられている。
【００２２】
投射光学装置３は、具体的な図示を省略するが、複数のレンズと、この複数のレンズを収納する筒状の鏡筒とで構成され、光学ユニット４により形成されたカラー画像を拡大投射する。投射光学装置３は、前記複数のレンズを投射方向（＋Ｚ軸方向）と直交する平面内で移動させて投射される光学像の位置を調整する投射位置調整装置３１を備える。また、鏡筒は、筒状軸を中心として回転することで前記複数のレンズの相対位置を変更可能に構成され、筒状軸を中心として回転させスクリーン上に拡大投射される画像を調整する画像調整部３３を備える。
【００２３】
図３は、プロジェクタを模式的に示す模式図であり、特に光学ユニット４の光学系について詳細に示している。
光学ユニット４は、図３に示すように、平面視略Ｌ字形状を有し、前記制御基板による制御の下、光源装置から射出された光束を光学的に処理して画像情報に対応したカラー画像を形成するユニットである。
この光学ユニット４は、図３に示すように、光源装置４１と、均一照明光学装置４２と、色分離光学装置４３と、リレー光学装置４４と、光学装置４５と、光学部品用筐体４６とを備える。
【００２４】
光源装置４１は、前記制御基板による制御の下、均一照明光学装置４２に向けて光束を射出する。この光源装置４１は、図３に示すように、光源としての光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。
この光源ランプ４１１は、図２および図３に示すように、＋Ｘ軸方向に沿う方向に、光束を射出する。
【００２５】
均一照明光学装置４２は、光源装置４１から射出された光束を、光学装置４５を構成する光変調装置としての液晶パネル４５１の画像形成領域に略均一に照明するための光学系である。この均一照明光学装置４２は、図３に示すように、第１レンズアレイ４２１と、第２レンズアレイ４２２と、偏光変換素子４２３と、重畳レンズ４２４とを備える。また、フィールドレンズ４２５は、第２レンズアレイ４２２から射出された各部分光束をその中心軸（主光線）に対して平行な光束に変換する。
【００２６】
色分離光学装置４３は、図３に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。ダイクロイックミラー４３１では、赤色光が分離され、赤色光は反射ミラー４３３で反射されて液晶パネル４５１Rへ導かれる。ダイクロイックミラー４３２では緑色光と青色光が分離され、緑色光は液晶パネル４５１Ｇへ導かれる。
【００２７】
リレー光学装置４４は、図３に示すように、入射側レンズ４４１、リレーレンズ４４３、および反射ミラー４４２，４４４を備え、色分離光学装置４３で分離された青色光を光学装置４５の液晶パネル４５１Ｂまで導く機能を有している。
【００２８】
光学装置４５は、光源装置４１から射出され入射する光束を画像情報に応じて変調して画像光（カラー画像）を形成するものである。この光学装置４５は、図３に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２９】
図４は、プロジェクタ１内部の背面側からの斜視図であり、画像投射装置Ｇ（投射光学装置３および光学ユニット４）が外された内部を示している。
排気ファン５は、外装筐体２（プロジェクタ１）内部に滞留する温められた空気を吸気し、外装筐体２の側面（−Ｘ軸方向側の側面）に設けられた排気口（不図示）を介して外装筐体２（プロジェクタ１）外部に排気するものである。
なお、図４は、光源装置４１をはじめとした光学ユニット４を含めた画像投射装置Ｇを省略して図示しているが、以下において、光源装置４１等に説明する場合には、図２および図３を参照されたい。
【００３０】
排気ファン５は、＋Ｘ軸方向に回転軸を有する軸流ファンにより構成される。この排気ファン５には、ランプ駆動装置７の排気側開口部に接続され該排気ファン５に導く排気ダクト５１が接続される。排気ファン５は、光源装置４１に対して、光源装置４１の光源ランプ４１１から射出される光束の射出方向（＋Ｘ軸方向）とは、逆方向（−Ｘ軸方向）側に配設され、排気ファン５は、＋Ｘ軸に略直交するＹＺ平面で回転する。
【００３１】
排気ダクト５１は、光源ランプ４１１に対して、光束の射出方向（＋Ｘ軸方向）とは逆方向（−Ｘ軸方向）側に、光源装置４１の光が外部に漏れてしまわないように配設されている。すなわち、排気ダクト５１は、冷却空気が流動可能なダクト構造を有しながら、光源装置４１の光源ランプ４１１から射出される光束の射出方向（＋Ｘ軸方向）とは逆方向（−Ｘ軸方向）側を囲うようにされた平面視略Ｌ字形状で形成された壁状で構成される。より具体的には、排気ダクト５１は、後に説明するランプ駆動装置７とともに、光源装置４１を囲うように平面視コ字とされた形状を有する。
【００３２】
また、この排気ダクト５１には、光源装置４１からの冷却空気が排気ファン５に流れるように、電源装置６側（＋Ｚ軸方向側）において排気ファン５に通じるように側部を開口した第１流出開口部５１１と、光源装置４１と対向する下方位置において排気ファン５に通じるように底部を開口させた第２流出開口部５１２とが設けられている。
【００３３】
電源装置６は、プロジェクタ１を構成する各構成部材（例えば、ランプ駆動装置７、前記制御基板等）に電力を供給するものである。電源装置６は、図２および図４に示すように、略直方体形状を有して構成される。この電源装置６は、光学ユニット４のＬ字の内側部分に長手方向が＋Ｘ軸方向に沿うように、ロアーケース２２に設置されている。
【００３４】
図５は、電源装置６を示す分解斜視図である。
電源装置６は、図５に示すように、電源回路基板６１と、絶縁板６２と、電源用筐体６３と、電磁シールド板６５Ａ，６５Ｂとを備えて大略構成される。これらの各部材６１，６２，６３，６５Ａ，６５Ｂは、ネジ部材６６により螺合され一体化されている。
【００３５】
また、この電源装置６には、電源装置６内部を冷却するためのシロッコファン６７が接続されている。シロッコファン６７は、プロジェクタ１内部の空気を吸入し、その空気を冷却風として、冷却風導入開口部６３１から電源装置の６内部に吐出するものである。
【００３６】
図６は、電源回路基板を示す平面模式図である。
電源回路基板６１は、図６に示すように、外装筐体２の内部に配される各種の装置に電力を供給するためのものである。電源回路基板６１は、基板上に回路を配して構成されるものであって、パワー半導体素子６１１、電解コンデンサ６１２、トランス６１３、コイル６１４を備える。また、電源回路基板６１には、パワー半導体素子６１１を効果的に冷却させるために、放熱フィン６１５が設けられ、パワー半導体素子６１１が放熱フィン６１５に密着され、ている。また、絶縁板６２は、電磁シールド板６５Ａ、６５Ｂと電源回路基板６１が接触するのを防ぐものである。
【００３７】
図７は、図５のＥ−ＥにおいてＸ−Ｙ軸平面で破断した電源装置６の内部を示す斜視図である。
電源用筐体６３は、電源回路基板６１を保持する箱状の筐体構造をなすものである。この電源用筐体６３には、図５に示すように、筐体内部に配置される電源回路基板６１を冷却するための、冷却風導入開口部６３１および冷却風導出開口部６３２が設けられている。具体的には、冷却風導入開口部６３１および冷却風導出開口部６３２は、電源回路基板６１と対向面であって、その隅位置において設けられている。
【００３８】
また、電源用筐体６３内面には、図７に示すように、シロッコファン６７から送られる冷却風を、好適に冷却対象に吹き当てるための整流板部６３３が設けられている。なお、この整流板部６３３は、電源用筐体６３のＺ軸方向側の内面において設けられている。
【００３９】
整流板部６３３は、具体的には、図６および図７に示すように、発熱量が多いパワー半導体素子６１１およびトランス６１３の領域と、発熱量が少ない電解コンデンサ６１２の領域とを区分けするように折曲して設けられている。なお、この電源装置６にあっては、特に、パワー半導体素子６１１を冷却したいため、整流板部６３３は、冷却風導入開口部６３１から送られてきた冷却風を、パワー半導体素子６１１が密着する放熱フィン６１５に好適に吹き当てるように、内部を斜めに仕切るように設けられている。
【００４０】
電磁シールド板６５Ａ，６５Ｂは、ＥＭＩ（Ｅｌｅｃｔｒｏｍａｇｎｅｔｉｃ Ｉｎｔｅｒｆｅｒｅｎｃｅ、電磁干渉）対策のために設けられるものであって、内部に電源回路基板６１を配し筐体構造をなした絶縁板６２および電源用筐体６３を囲うように配される。
【００４１】
ランプ駆動装置（バラスト）７は、光源ランプ４１１を駆動させる回路であって、詳細については図示しないが、回路基板と、回路基板を支持しながら囲う筐体と、この筐体を囲うように配される電磁シールド板を備えて構成される。
ランプ駆動装置７は、図２および図４に示すように、略直方体形状を有して構成され、光源装置４１に対して、電源装置６の反対側に配設される。すなわち、電源装置６とランプ駆動装置７とが、光源装置４１を挟み込むように、これら電源装置６とランプ駆動装置７とが配設される。具体的には、ランプ駆動装置７は、光学ユニット４のＬ字外側部分に配され、長手方向が＋Ｘ軸方向に沿うように、ロアーケース２２に設置されている。つまり、電源装置６の長手方向と、ランプ駆動装置７の長手方向とは、＋Ｘ軸方向に沿うようになっており、互いに平行関係にある。
【００４２】
このランプ駆動装置７は、特に図示しないが、電源装置６と同様、内部に配される回路基板を冷却するため、箱状の筐体に、冷却風を導入する吸気側開口部と、冷却風を導出する排気側開口部とが、Ｘ軸の両方向側において設けられている。なお、この冷却風を導入する＋Ｘ軸方向側の吸気側開口部は、後に説明する冷却装置８の第２吐出側ダクト８８の開口端部と接続される。また、冷却風を導出する−Ｘ軸方向側の排気側開口部は、排気導出部材５３を介して排気ダクト５１の開口部と接続される。
【００４３】
冷却装置８は、外気を、吸気口２１３を介して外装筐体２（プロジェクタ１）内部に冷却風として導入し、冷却風としての外気をプロジェクタ１内部の冷却対象に吹き当てて冷却するものである。具体的には、冷却装置８は、外装筐体２の吸気口２１３と連通状態で接続される吸気口側ダクト８１と、この吸気口側ダクト８１に接続され吸引風を発生する２つのシロッコファン８５，８６と、この２つのシロッコファン８５，８６のそれぞれに接続され発生させた冷却風（外気）を冷却対象に導く２つの第１吐出側ダクト８７および第２吐出側ダクト８８とを備えて構成される。
【００４４】
冷却装置８は、光変調装置としての液晶パネル４５１を含む画像投射装置Ｇに対して、つまり投射光学装置３に対して投射光学装置３の投射方向（＋Ｚ軸方向）とは反対側の位置であって、ランプ駆動装置７の長手方向の延長上に存するように配設されている。
また、第１吐出側ダクト８７は、投射光学装置３の投射方向（＋Ｚ軸方向）に延びるように形成され、光学装置４５の青色光用の液晶パネル４５１B側、および光学装置４５の緑色光用の液晶パネル４５１Ｇ側を冷却する。第２吐出側ダクト８８は、投射光学装置３の投射方向（＋Ｚ軸方向）とは交差するランプ駆動装置７方向（−Ｘ軸方向）と投射光学装置３方向（＋Ｚ軸方向）に曲がって延びる方向との二股で形成され、ランプ駆動装置７内と、光学装置４５の赤色光用の液晶パネル４５１R側と、偏光変換素子４２３とを冷却する。
【００４５】
以上のように構成されたプロジェクタ１は、次のような作用効果を奏することができる。すなわち、このプロジェクタ１によれば、電源装置６およびランプ駆動装置７は、光源装置４１を挟み込むように配設されているので、電源装置６およびランプ駆動装置７によって発熱した熱は、互いに熱干渉することなく、放熱され易いものとなる。したがって、発熱した熱を、滞留することなく、効率よく放熱させることができる。
【００４６】
また、プロジェクタ１によれば、電源装置６およびランプ駆動装置７によって、光源装置４１を挟み込むように配設されているので、プロジェクタ内部のスペースを有効活用することができ、プロジェクタ全体の小型化を図ることができる。
【００４７】
また、プロジェクタ１によれば、排気ファン５および排気ダクト５１は、光源装置４１に対して、光源装置４１からの光束の射出方向（＋Ｘ軸方向）とは逆方向（−Ｘ軸方向）側に配設されているので、光源装置４１、ランプ駆動装置７、電源装置６内の空気を排気ファン５に好ましく導くことができる。したがって、発熱した熱を、効率よく放熱させることができる。
【００４８】
さらに、排気ダクト５１は、光が外部に漏れてしまうことを遮ることができる。これによって、従来、光が外部に漏れてしまうことを遮るために設けられていた遮光板等を省略することができ、プロジェクタ全体の小型化を図ることができる。
また、排気ファン５も、光源装置４１に対して、光源装置４１からの光束の射出方向（＋Ｘ軸方向）とは逆方向（−Ｘ軸方向）側に配設されているので、配設される排気ダクト５１の長さも短く設定することができて、プロジェクタ全体の小型化を図ることができる。
【００４９】
また、プロジェクタ１によれば、電源装置６およびランプ駆動装置７は、互いに略直方体形状を有して構成されるとともに、互いの長手方向同士を、Ｘ軸方向に沿う平行とするように配設されているので、電源装置６およびランプ駆動装置７から送られてくる風の流路を整えることができて、発熱した熱を、効率よく放熱させることができる。
【００５０】
また、プロジェクタ１によれば、冷却装置８は、画像投射装置Ｇに対して投射光学装置３の投射方向（＋Ｚ軸方向）とは反対側の位置に配設され、ランプ駆動装置７の、長手方向の延長上に存するので、この吸気口２１３を介して冷却装置８から導入された外気を、電源装置６もしくはランプ駆動装置７に導き易いものにする上、配設されるダクトも簡易な形状となり、より効率よく風を流すことができる。
【００５１】
また、投射位置調整装置３１を備えるプロジェクタ１においては、投射光学装置３の周囲に投射位置調整装置３１が配置されているので投射光学装置３の周囲に冷却装置８を配置するとプロジェクタ１が大型化してしまう。上記構成とすることにより、投射位置調整装置３１を備えるプロジェクタであっても、従来、デッドスペースになりがちであった、投射光学装置の投射方向とは反対側の位置に、冷却装置８、それに付随してランプ駆動装置７を配設するので、プロジェクタの小型化を図ることができる。
【００５２】
なお、本発明に係るプロジェクタは、上述の実施の形態に限定されるものではなく、本発明の趣旨を逸脱しない範囲において、適宜に選択変更して構成されるものであってもよい。
例えば、上述の実施形態においては、画像光の投射方向（+Ｚ軸方向）となる前面側に電源装置６を配し、画像光の投射方向（+Ｚ軸方向）とは逆方向（−Ｚ軸方向）側となる背面側にランプ駆動装置７を配して構成された例について説明した。しかしながら、本発明に係るプロジェクタは、電源装置６とランプ駆動装置７とが光源装置４１を挟み込むように配設されていればよく、画像光の投射方向（+Ｚ軸方向）となる前面側にランプ駆動装置７を配し、画像光の投射方向（+Ｚ軸方向）とは逆方向（−Ｚ軸方向）側となる背面側に電源装置６を配して構成されるものであってもよい。
【００５３】
また、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００５４】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶パネル以外の光変調装置を用いてもよい。この場合は、光束入射側および光束射出側の偏光板４５２，４５３を省略することができる。
【産業上の利用可能性】
【００５５】
本発明に係るプロジェクタは、発熱した熱を効率よく放熱することができ、プロジェクタ全体の小型化を図ることができるので、持ち運びに優れたプロジェクタとして利用することができる。
【図面の簡単な説明】
【００５６】
【図１】本発明に係るプロジェクタの外観を模式的に示す外観模式図。
【図２】プロジェクタの内部を示す内部斜視図。
【図３】プロジェクタを模式的に示す模式図。
【図４】プロジェクタの内部を示す内部斜視図。
【図５】電源装置を示す分解斜視図。
【図６】電源回路基板を示す平面模式図。
【図７】図５のＥ−ＥにおいてＸ−Ｙ軸平面で破断した電源装置の内部を示す斜視図。
【符号の説明】
【００５７】
１…プロジェクタ，２…外装筐体，３…投射光学装置，４…光学ユニット，５…排気ファン，６…電源装置，７…ランプ駆動装置，８…冷却装置，２１…アッパーケース，２２…ロアーケース，３１…投射位置調整装置，４１…光源装置，５１…排気ダクト，２１３…吸気口，４１１…光源ランプ，５１１…第１流出開口部，５１２…第２流出開口部，６１５…放熱フィン，６３１…冷却風導入開口部，６３２…冷却風導出開口部，６３３…整流板部，Ｇ…画像投射装置
【図１】
2008268333.tif 000003
【図２】
2008268333.tif 000004
【図３】
2008268333.tif 000005
【図４】
2008268333.tif 000006
【図５】
2008268333.tif 000007
【図６】
2008268333.tif 000008
【図７】
2008268333.tif 000009